(57)【要約】【課題】車載機に接続された複数の携帯端末から送られてくる複数のデータを、どの携帯端末から送られてきたものであるかを車載機にて識別できるようにした「データ識別管理装置およびデータ識別管理方法」を提供する。【解決手段】データ受信部１１が複数の携帯端末２０-1，２０-2から複数の地点データを受信したときに、その地点データと共に受信された端末ＩＤを複数の地点データのそれぞれに対して付与し、当該端末ＩＤが付与された状態で複数の地点データをデータ記憶部１３に記憶させる端末識別情報付与部１２を備え、複数の携帯端末２０-1，２０-2から受信された複数の地点データに対して個別に端末ＩＤを付与して管理することにより、車載機１０にて受信した複数の地点データがどの携帯端末２０-1，２０-2から送られてきたものであるかを１つ１つ識別することができるようにする。【選択図】図２
2015052954.tif 000002
【特許請求の範囲】
【請求項１】
複数の携帯端末から車載機に送信された複数のデータを識別して管理する装置であって、
上記携帯端末から送信された複数のデータを、上記携帯端末を識別するための端末識別情報と共に受信するデータ受信部と、
上記データ受信部により受信された上記複数のデータのそれぞれに対して、上記複数のデータと共に受信された上記端末識別情報を個々に付与し、当該端末識別情報が付与された状態で上記複数のデータをデータ記憶部に記憶させる端末識別情報付与部とを備えたことを特徴とするデータ識別管理装置。
【請求項２】
上記端末識別情報と、上記複数の携帯端末またはそれを所有する複数のユーザを視覚的に識別するための視覚識別情報とを対応付けてあらかじめ記憶する視覚識別情報記憶部と、
上記ユーザによる操作に応じて、上記データ記憶部に記憶された複数のデータを上記車載機の画面に表示させる際に、上記複数のデータにそれぞれ付与されている上記端末識別情報に対応する上記視覚識別情報を上記視覚識別情報記憶部から読み出し、上記複数のデータに関連付けて上記視覚識別情報を表示させる表示制御部とを更に備えたことを特徴とする請求項１に記載のデータ識別管理装置。
【請求項３】
上記データ受信部が上記複数の携帯端末から受信するデータは、地図上の地点を表す地点データであり、
上記端末識別情報ごとに異なるアイコンの画像情報が上記視覚識別情報として上記視覚識別情報記憶部に記憶されており、
上記表示制御部は、上記データ記憶部に記憶された複数の地点データを上記車載機の画面に表示された地図上に該当位置を示す地点ピンとして表示させる際に、上記複数の地点データにそれぞれ付与されている上記端末識別情報に対応するアイコンを上記地点ピンと共に表示させることを特徴とする請求項２に記載のデータ識別管理装置。
【請求項４】
上記データ受信部が上記複数の携帯端末から受信するデータは、地図上の地点を表す地点データであり、
上記表示制御部は、上記データ記憶部に記憶された複数の地点データを上記車載機の画面に地点名のリストとして表示させる際に、上記複数の地点データにそれぞれ付与されている上記端末識別情報に対応する上記視覚識別情報を、上記地点名と共に上記リスト内に表示させることを特徴とする請求項２に記載のデータ識別管理装置。
【請求項５】
上記データ受信部が上記複数の携帯端末から受信するデータは楽曲データであり、
上記表示制御部は、上記データ記憶部に記憶された複数の楽曲データを上記車載機の画面に楽曲名のリストとして表示させる際に、上記複数の楽曲データにそれぞれ付与されている上記端末識別情報に対応する上記視覚識別情報を、上記楽曲名と共に上記リスト内に表示させることを特徴とする請求項２に記載のデータ識別管理装置。
【請求項６】
上記データ受信部が上記複数の携帯端末から受信するデータは画像データであり、
上記表示制御部は、上記データ記憶部に記憶された複数の画像データを上記車載機の画面にファイル名またはタイトル名のリストとして表示させる際に、上記複数の画像データにそれぞれ付与されている上記端末識別情報に対応する上記視覚識別情報を、上記ファイル名またはタイトル名と共に上記リスト内に表示させることを特徴とする請求項２に記載のデータ識別管理装置。
【請求項７】
複数の携帯端末から車載機に送信された複数のデータを識別して管理する方法であって、
上記車載機のデータ受信部が、上記携帯端末から送信された複数のデータを、上記携帯端末を識別するための端末識別情報と共に受信する第１のステップと、
上記車載機の端末識別情報付与部が、上記データ受信部により受信された上記複数のデータのそれぞれに対して、上記複数のデータと共に受信された上記端末識別情報を個々に付与し、当該端末識別情報が付与された状態で上記複数のデータをデータ記憶部に記憶させる第２のステップとを有することを特徴とするデータ識別管理方法。
【請求項８】
上記車載機の表示制御部が、上記ユーザによる操作に応じて、上記データ記憶部に記憶された複数のデータを上記車載機の画面に表示させる際に、上記端末識別情報と上記複数の携帯端末またはそれを所有する複数のユーザを視覚的に識別するための視覚識別情報とを対応付けてあらかじめ記憶した視覚識別情報記憶部を参照して、上記複数のデータにそれぞれ付与されている上記端末識別情報に対応する上記視覚識別情報を上記視覚識別情報記憶部から読み出し、上記複数のデータに関連付けて上記視覚識別情報を表示させる第３のステップとを更に有することを特徴とする請求項７に記載のデータ識別管理方法。
【発明の詳細な説明】
【技術分野】
【０００１】
本発明は、データ識別管理装置およびデータ識別管理方法に関し、特に、複数の携帯端末から車載機に送信された複数のデータを個々に識別して管理する装置および方法に用いて好適なものである。
【背景技術】
【０００２】
近年、携帯電話やスマートフォンなどの携帯端末と車載機とを連携させ、携帯端末から車載機にデータを送信して所定の処理を実行するようにした技術が種々提供されている。例えば、ナビゲーション機能を有するアプリケーション（いわゆる地図アプリ）を備えた携帯端末から、地図アプリに登録されている所望の地点を示す地点データを車載機に送信して利用できるようにした技術が知られている。車載機では、携帯端末から送られた地点データを、例えば目的地の設定などに利用することが可能である。
【０００３】
多くの場合、車載機は１台を複数のユーザ（例えば、家族全員）で共有して使う一方、スマートフォンなどの携帯端末は個々のユーザ（例えば、家族の一人一人）が個別に所有して使う。そのため、１台の車載機に対して複数のユーザの携帯端末が同時に連携する場合もあり得る。ここで、複数の携帯端末からそれぞれ車載機に対して地点データが送信された場合、どの地点データがどの携帯端末から送信されたものであるかを車載機側で区別することができない。
【０００４】
そのため、車載機では、複数のユーザに関する地点データが混在した状態で区別なく表示されてしまう。特に、１人のユーザが複数の地点データを地図アプリに登録していることが多いので、複数人の地点データが車載機に送信されると、多くの地点データがどのユーザのものであるかが全く区別されることなく混在した状態で表示されてしまうことになる。これにより、この表示を見たユーザは、どれが自分の携帯端末に登録していた地点データであるかを一見して認識することができず、携帯端末から送信した地点データを車載機で利用する際の利便性に欠けるという問題があった。
【０００５】
なお、車載機がブルートゥース接続可能な携帯電話をサーチしたときに、その検索結果一覧の中に同一機種の携帯端末が複数含まれる場合であっても、ユーザがそれらを互いに区別して認識できるようにするために、車載機がそれぞれの携帯電話から取得した待ち受け画面の画像に基づいて生成して保存しておいたアイコンを用いて、検索結果を一覧表示するようにした技術が提案されている（例えば、特許文献１参照）。
【先行技術文献】
【特許文献】
【０００６】
【特許文献１】特開２０１３−２９９７６号公報
【発明の概要】
【発明が解決しようとする課題】
【０００７】
しかしながら、上記特許文献１に記載の技術では、サーチによって検索された携帯端末の一覧において、アイコンを用いて個々の携帯端末を識別することができるのみであり、車載機に接続された複数の携帯端末から送られてくる複数のデータを、どの携帯端末から送られてきたものであるかを識別することはできない。
【０００８】
本発明は、このような問題を解決するために成されたものであり、車載機に接続された複数の携帯端末から送られてくる複数のデータを、どの携帯端末から送られてきたものであるかを車載機にて識別できるようにすることを目的とする。
【課題を解決するための手段】
【０００９】
上記した課題を解決するために、本発明では、車載機が携帯端末から複数のデータを受信したときに、そのデータと共に受信された端末識別情報を複数のデータのそれぞれに対して付与し、当該端末識別情報が付与された状態で複数のデータをデータ記憶部に記憶させるようにしている。
【００１０】
本発明の他の態様では、端末識別情報と、複数の携帯端末またはそれを所有する複数のユーザを視覚的に識別するための視覚識別情報とを対応付けてあらかじめ視覚識別情報記憶部に記憶しておき、複数のデータを車載機の画面に表示させる際には、複数のデータに関連付けてそれぞれ対応する視覚識別情報を表示させるようにしている。
【発明の効果】
【００１１】
上記のように構成した本発明によれば、携帯端末から車載機に複数のデータが送信されて受信されると、その複数のデータに対して個別に端末識別情報が付与されて管理されるので、複数の携帯端末から車載機に複数のデータが送られた場合であっても、車載機にて受信した複数のデータがどの携帯端末から送られてきたものであるかを１つ１つ識別することが可能となる。
【００１２】
また、本発明の他の特徴によれば、車載機にて受信した複数のデータを画面表示させる際に、個々のデータに関連付けてそれぞれ対応する視覚識別情報が表示されるので、この視覚識別情報の表示を見たユーザは、どのデータがどの携帯端末またはどのユーザに関するものかを視覚的に識別して把握することができる。つまり、どのデータが自分の携帯端末に登録されていたものかを容易に認識することができる。
【図面の簡単な説明】
【００１３】
【図１】本実施形態による車載システムの構成例を示す図である。
【図２】本実施形態によるデータ識別管理装置の機能構成例を示すブロック図である。
【図３】本実施形態によるデータ記憶部に対するデータの記憶例を示す図である。
【図４】本実施形態の表示制御部によって表示される画面の一例を示す図である。
【図５】本実施形態の表示制御部によって表示される画面の一例を示す図である。
【図６】本実施形態によるデータ識別管理装置の動作例を示すフローチャートである。
【発明を実施するための形態】
【００１４】
以下、本発明の一実施形態を図面に基づいて説明する。図１は、本実施形態による車載システムの構成例を示す図である。本実施形態の車載システムは、本発明のデータ識別管理装置を備えた車載機１０と、スマートフォンなどの複数の携帯端末２０-1，２０-2とから成る。車載機１０と複数の携帯端末２０-1，２０-2との間は、Ｂｌｕｅｔｏｏｔｈ（登録商標）やＷｉ−Ｆｉなどの無線通信手段、あるいはＵＳＢ（Universal Serial Bus）などのケーブルを介して接続され、相互にデータ通信を行うことが可能に構成されている。
【００１５】
車載機１０が備える本実施形態によるデータ識別管理装置は、複数の携帯端末２０-1，２０-2から車載機１０に送信された複数のデータを識別して管理するものである。図２は、このデータ識別管理装置の機能構成例を示すブロック図である。図２に示すように、本実施形態のデータ識別管理装置は、その機能構成として、データ受信部１１、端末識別情報付与部１２、データ記憶部１３、視覚識別情報記憶部１４および表示制御部１５を備えている。
【００１６】
ここで、データ受信部１１、端末識別情報付与部１２および表示制御部１５の機能ブロックは、ハードウェア、ＤＳＰ（Digital Signal Processor）、ソフトウェアの何れによっても構成することが可能である。例えばソフトウェアによって構成する場合、上記各機能ブロック１１，１２，１５は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１７】
データ受信部１１は、複数の携帯端末２０-1，２０-2から送信されたそれぞれ複数のデータを、携帯端末２０-1，２０-2を識別するための端末識別情報（以下、端末ＩＤという）と共に受信する。データ受信部１１が複数の携帯端末２０-1，２０-2から受信するデータは、例えば携帯端末２０-1，２０-2の地図アプリにおいて地図上の地点を表す地点データ（地点名、地点位置などの情報を含む）である。
【００１８】
すなわち、第１の携帯端末２０-1のユーザは、複数の所望の地点を地図アプリに登録している。データ受信部１１は、第１の携帯端末２０-1の地図アプリに登録されている地点を表す複数の地点データを、第１の携帯端末２０-1の端末ＩＤと共に第１の携帯端末２０-1から受信する。同様に、第２の携帯端末２０-2のユーザは、複数の所望の地点を地図アプリに登録している。データ受信部１１は、第２の携帯端末２０-2の地図アプリに登録されている地点を表す複数の地点データを、第２の携帯端末２０-2の端末ＩＤと共に第２の携帯端末２０-2から受信する。
【００１９】
端末識別情報付与部１２は、データ受信部１１により受信された複数の地点データのそれぞれに対して、それらと共に受信された端末ＩＤを個々に付与し、当該端末ＩＤが付与された状態で複数の地点データをデータ記憶部１３に記憶させる。
【００２０】
図３は、データ記憶部１３に対するデータの記憶例を示す図である。図３において、地点１，２，５の３つの地点データは、第１の携帯端末２０-1から１つの端末ＩＤ“ＩＤ20-1”と共に受信されたデータであり、端末識別情報付与部１２により１つ１つの地点データに対して“ＩＤ20-1”の端末ＩＤが付与された状態でデータ記憶部１３に記憶されている。
【００２１】
また、地点３，４の２つの地点データは、第２の携帯端末２０-2から１つの端末ＩＤ“ＩＤ20-2”と共に受信されたデータであり、端末識別情報付与部１２により１つ１つの地点データに対して“ＩＤ20-2”の端末ＩＤが付与された状態でデータ記憶部１３に記憶されている。
【００２２】
視覚識別情報記憶部１４は、複数の携帯端末２０-1，２０-2またはそれを所有する複数のユーザを視覚的に識別するための視覚識別情報（例えば、アイコンなどの画像情報）と、複数の携帯端末２０-1，２０-2の端末ＩＤとを対応付けてあらかじめ記憶する。具体的には、視覚識別情報記憶部１４は、端末ＩＤごとに異なるアイコンの画像情報を視覚識別情報として記憶している。ここで、アイコンの画像情報は、端末ＩＤごとに形を異ならせるようにしてもよいし、色を異ならせるようにしてもよい。なお、どの端末ＩＤに対してどのアイコンを対応付けて視覚識別情報記憶部１４に記憶させるかをユーザが車載機１０に対する操作によって任意に設定できるようにしてもよい。
【００２３】
表示制御部１５は、車載機１０に対するユーザによる操作に応じて、データ記憶部１３に記憶された複数の地点データを車載機の画面に表示させる。その際、表示制御部１５は、複数の地点データにそれぞれ付与されている端末ＩＤに対応するアイコンを視覚識別情報記憶部１４から読み出し、複数の地点データに関連付けてアイコンを表示させる。
【００２４】
図４は、表示制御部１５によって表示される画面の一例を示す図である。図４の例は、データ記憶部１３に記憶された複数の地点データを、車載機の画面に表示された地図上に該当位置を示す地点ピンとして表示させる場合の例を示している。この地図画面において、表示制御部１５は、複数の地点データにそれぞれ付与されている端末ＩＤに対応するアイコンを地点ピンと共に表示させている。
【００２５】
図５は、表示制御部１５によって表示される画面の他の例を示す図である。図５の例は、データ記憶部１３に記憶された複数の地点データを車載機の画面に地点名のリストとして表示させる場合の例を示している。この地図画面において、表示制御部１５は、複数の地点データにそれぞれ付与されている端末ＩＤに対応するアイコンを、地点名と共にリスト内に表示させている。
【００２６】
図６は、上記のように構成した本実施形態によるデータ識別管理装置の動作例を示すフローチャートである。なお、図６に示すフローチャートは、車載機１０と２つの携帯端末２０-1，２０-2とを接続して連携させたときに開始する。まず、データ受信部１１は、複数の携帯端末２０-1，２０-2から、それぞれの地図アプリに登録されている複数の地点データを端末ＩＤと共に受信する（ステップＳ１）。
【００２７】
次に、端末識別情報付与部１２は、データ受信部１１により受信された複数の地点データのそれぞれに対して、それらと共に受信された端末ＩＤを個々に付与し（ステップＳ２）、当該端末ＩＤが付与された状態で複数の地点データをデータ記憶部１３に記憶させる（ステップＳ３）。
【００２８】
その後、表示制御部１５は、地図を画面表示させるための操作がユーザにより行われたか否かを判定する（ステップＳ４）。地図表示のためのユーザ操作が行われた場合、表示制御部１５は、図４に示したように、データ記憶部１３に記憶された複数の地点データを、画面表示された地図上に地点ピンとして表示させるとともに、複数の地点データにそれぞれ付与されている端末ＩＤに対応するアイコンを地点ピンと共に表示させる（ステップＳ５）。
【００２９】
一方、地図を画面表示させるための操作が行われていない場合、表示制御部１５は、地点データをリストに一覧表示させるための操作がユーザにより行われたか否かを判定する（ステップＳ６）。リスト表示のためのユーザ操作が行われた場合、表示制御部１５は、図５に示したように、データ記憶部１３に記憶された複数の地点データを地点名のリストとして表示させるとともに、複数の地点データにそれぞれ付与されている端末ＩＤに対応するアイコンを地点名と共にリスト内に表示させる（ステップＳ７）。
【００３０】
地点データをリスト表示させるための操作も行われていない場合、処理はステップＳ４に戻る。一方、上記ステップＳ５またはステップＳ７において表示が行われた場合、図６に示すフローチャートの処理は終了する。
【００３１】
以上詳しく説明したように、本実施形態では、車載機１０が複数の携帯端末２０-1，２０-2から複数の地点データを受信したときに、その地点データと共に受信された端末ＩＤを複数の地点データのそれぞれに対して付与し、当該端末ＩＤが付与された状態で複数の地点データをデータ記憶部１３に記憶させるようにしている。
【００３２】
このように構成した本実施形態によれば、携帯端末２０-1，２０-2から車載機１０に複数の地点データが送信されて受信されると、その複数の地点データに対して個別に端末ＩＤが付与されて管理されるので、複数の携帯端末２０-1，２０-2から車載機１０に複数の地点データが送られた場合であっても、車載機１０にて受信した複数の地点データがどの携帯端末２０-1，２０-2から送られてきたものであるかを１つ１つ識別することが可能となる。
【００３３】
また、本実施形態では、端末ＩＤとアイコンとを対応付けてあらかじめ視覚識別情報記憶部１４に記憶しておき、複数の地点データを車載機１０の画面に表示させる際には、複数の地点データに関連付けてそれぞれ対応するアイコンを表示させるようにしている。
【００３４】
これにより、地点データと共に表示されたアイコンを見たユーザは、どの地点データがどの携帯端末２０-1，２０-2またはどのユーザに関するものかを視覚的に識別して把握することができる。つまり、どのデータが自分の携帯端末に登録されていたものかを容易に認識することができる。
【００３５】
なお、上記実施形態では、データ受信部１１が複数の携帯端末２０-1，２０-2から受信するデータが地図上の地点データである例について説明したが、本発明はこれに限定されない。例えば、データ受信部１１が複数の携帯端末２０-1，２０-2から受信するデータは、楽曲データであってもよい。
【００３６】
この場合、表示制御部１５は、例えば、データ記憶部１３に記憶された複数の楽曲データを車載機の画面に楽曲名のリストとして表示させる際に、複数の楽曲データにそれぞれ付与されている端末ＩＤに対応するアイコンを、楽曲名と共にリスト内に表示させる。
【００３７】
また、データ受信部１１が複数の携帯端末２０-1，２０-2から受信するデータは、写真や動画などの画像データであってもよい。この場合、表示制御部１５は、例えば、データ記憶部１３に記憶された複数の画像データを車載機１０の画面にファイル名またはタイトル名のリストとして表示させる際に、複数の画像データにそれぞれ付与されている端末ＩＤに対応するアイコンを、ファイル名またはタイトル名と共にリスト内に表示させる。
【００３８】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００３９】
１０  車載機
１１  データ受信部
１２  端末識別情報付与部
１３  データ記憶部
１４  視覚識別情報記憶部
１５  表示制御部
【図１】
2015052954.tif 000003
【図２】
2015052954.tif 000004
【図３】
2015052954.tif 000005
【図４】
2015052954.tif 000006
【図５】
2015052954.tif 000007
【図６】
2015052954.tif 000008